(57)【要約】【課題】換気機能と空気循環機能と備えつつ壁表面全体がフラットに形成されて見栄えに優れる換気構造を提供する。【解決手段】壁内部を縦にのびて扁平に形成されるとともに下端が床下に連通する壁内通気路と、垂直な回転芯周りに回転する円筒状の送風ファンを有するとともに、前記壁内通気路の側方で上下に並んで同芯に配置される一対のクロスフローファンと、換気口が設けられるとともに上に配される換気用のクロスフローファンの前を覆う換気用のベースグリル板と、吸込み口、還流口が横に並んで設けられるとともに下に配される循環用のクロスフローファンの前を覆う換気用のベースグリル板とを具え、前記換気用のクロスフローファンは、前記壁内通気路に通じる通気口を介して吸引した床下の空気を前記換気口から屋内空間へ吹き出し、前記循環用のクロスフローファンは、吸込み口から吸引した屋内空間の空気を還流口から屋内空間へ吹き出すことを特徴とする。【選択図】図１
2007139233.tif 000002
【特許請求の範囲】
【請求項１】
壁内部を縦にのびて扁平に形成されるとともに下端が床下に連通する壁内通気路と、垂直な回転芯周りに回転する円筒状の送風ファンを有するとともに、前記壁内通気路の側方で上下に並んで同芯に配置される一対のクロスフローファンと、換気口が設けられるとともに上に配される換気用のクロスフローファンの前を覆う換気用のベースグリル板と、吸込み口、還流口が横に並んで設けられるとともに下に配される循環用のクロスフローファンの前を覆う換気用のベースグリル板とを具え、
前記換気用のクロスフローファンは、前記壁内通気路に通じる通気口を介して吸引した床下の空気を前記換気口から屋内空間へ吹き出し、
前記循環用のクロスフローファンは、吸込み口から吸引した屋内空間の空気を還流口から屋内空間へ吹き出すことを特徴とする換気構造。
【請求項２】
前記通気口は、換気用のベースグリル板のスリットから壁厚方向に挿入された除塵エアフィルターが装着され、
前記吸込み口は、循環用のベースグリル板に沿う循環エアフィルターが装着されることを特徴とする請求項１記載の換気構造。
【請求項３】
前記換気用のベースグリル板、及び循環用のベースグリル板は、同じ化粧グリル部材を用いて覆われることを特徴とする請求項１又は２記載の換気構造。
【発明の詳細な説明】
【技術分野】
【０００１】
本発明は、床下空気を屋内に導入して建築物を換気する換気構造に関する。
【背景技術】
【０００２】
従来から、床下空気を屋内へ採り入れて建物内部を換気する換気システムが種々開発されている。本出願人は、壁体内に通気路を形成することにより省スペースを図りつつ、壁内の空間を可能な限り利用するとともに、送風量を増大して換気効率を向上しうる換気システムを提案している（例えば、特許文献１参照）。このシステムは、連続的に設置して壁を構築する壁パネルの間に、床下空気を建物内部へ送り出すシロッコファンを用いた送風機を内蔵した換気ユニットを組み込み、しかも床下空気の流れを制御する高さの異なる整流板を有する整流手段を設けることにより、空気の流れを制御して充分な換気量を確保できる屋内換気装置である。
【０００３】
【特許文献１】特許第３４３６７２０号公報
【発明の開示】
【発明が解決しようとする課題】
【０００４】
前記屋内換気装置は、整流手段により空気経路を整えるため比較的コンパクトな換気ユニットとして構成できるものの、シロッコファンを内蔵すると共に、床下空気と屋内空間の空気とを混合するなど複雑な空気経路を適宜切替えて換気、及び空気対流をコントロールするために、前記換気ユニットは壁パネルよりかなり厚い大きさの装置となる。そのため、連続する壁パネルによって形成される壁面から屋内空間へ大きく突出した構造にならざるを得ず、壁体表面に凹凸を生じて外観を損なうとともに屋内の平面プランがこれによって制約されるという問題があり、更なる改良が要求されていた。
【０００５】
本発明は、前記壁内通気路に通じる通気口を介して吸引した床下の空気を前記換気口から屋内空間へ吹き出す換気用のクロスフローファン、及び吸込み口から吸引した屋内空間の空気を還流口から屋内空間へ吹き出す循環用のクロスフローファンを具えることを基本とし、換気機能と空気循環機能と備えつつ壁表面全体がフラットに形成されて見栄えに優れる換気構造の提供を課題としている。
【課題を解決するための手段】
【０００６】
前記目的を達成するために、請求項１に係る発明では、壁内部を縦にのびて扁平に形成されるとともに下端が床下に連通する壁内通気路と、垂直な回転芯周りに回転する円筒状の送風ファンを有するとともに、前記壁内通気路の側方で上下に並んで同芯に配置される一対のクロスフローファンと、換気口が設けられるとともに上に配される換気用のクロスフローファンの前を覆う換気用のベースグリル板と、吸込み口、還流口が横に並んで設けられるとともに下に配される循環用のクロスフローファンの前を覆う換気用のベースグリル板とを具え、前記換気用のクロスフローファンは、前記壁内通気路に通じる通気口を介して吸引した床下の空気を前記換気口から屋内空間へ吹き出し、前記循環用のクロスフローファンは、吸込み口から吸引した屋内空間の空気を還流口から屋内空間へ吹き出すことを特徴とする。
【０００７】
請求項２に係る発明においては、前記通気口は、換気用のベースグリル板のスリットから壁厚方向に挿入された除塵エアフィルターが装着され、前記吸込み口は、循環用のベースグリル板に沿う循環エアフィルターが装着され、また請求項３に係る発明では、前記換気用のベースグリル板、及び循環用のベースグリル板は、同じ化粧グリル部材を用いて覆われることを特徴とする。
【発明の効果】
【０００８】
請求項１に係る発明は、換気用のクロスフローファンによって、床下の空気が、壁内部で縦にのびるとともに扁平に形成された壁内通気路を介して屋内空間へ導入されるとともに、前記換気用のクロスフローファンの下に同芯に配された循環用のクロスフローファンによって、屋内空間の空気がサーキュレーションされる。従って、床下空気を利用した換気機能及び屋内空間の空気循環機能が、限られた壁厚の範囲内に構築されるため、デザイン性を向上できるとともに、屋内空間に空気設備が出張ることなく平面プランの自由性を確保できる。しかも換気用のベースグリル板、循環用のベースグリル板は縦一列に並んで配置されるため、上下にのびる意匠性の高い外観を有しつつ換気機能と空気循環機能とをコンパクトに形成することができる。
【０００９】
請求項２に係る発明のように、換気用のベースグリル板のスリットから壁厚方向に挿入して除塵エアフィルターを通気口に装着し、かつ循環用のベースグリル板に沿って循環エアフィルターを吸込み口に装着すると、床下から吸引された換気用の外気及び屋内空間の空気中の微細な浮遊物が、各々クロスフローファンに吸引される前に除去されるため、綺麗な空気が屋内空気へ供給できるとともにクロスフローファンの汚れが抑制されてメンテナンスが容易となる。
【００１０】
請求項３に係る発明のように、換気用のベースグリル板、及び循環用のベースグリル板を、同じ化粧グリル部材を用いて覆うように形成すると、統一した外観が構成できてデザイン性が向上するとともに、使用部材の点数を減少できて、施工性が向上するとともにメンテナンスも容易となる。
【発明を実施するための最良の形態】
【００１１】
以下、本発明の実施の一形態を、図示例とともに説明する。図１、２に示すように、換気構造１は、壁２内に形成される壁内通気路３と、上下一対のクロスフローファン５、５と、この上下のクロスフローファン５、５を各々覆う換気用のベースグリル板７Ｋ及び循環用のベースグリル板７Ｊとを具える。
【００１２】
前記壁内通気路３は、図１に示すように、建築物の壁２内部を縦にのびるとともに壁に沿って扁平に形成され、しかもその下端が床下空間に連通している。また前記壁２は、本形態では、壁パネル２１を複数枚横に連続的に配置して形成される。そして前記壁内通気路３は、前記壁パネル２１と同厚の換気壁パネル２２を用いて形成されたものを例示している。
【００１３】
前記壁パネル２１は、縦フレーム材、横フレーム材を矩形状に枠組みした外周枠の内側に補強桟を架け渡して形成された木製、或いは軽量形鋼を用いたパネルフレームの両側に、化粧板を貼着したフラッシュパネルを用いて形成され、図１に示すように、複数枚を横に並べるとともに、図示されない柱、梁などの建物矩体に取り付けることにより、壁２を形成している。なおこの壁２は、建築物の外周に位置してシェルターを構成する外壁、又は屋内空間を区画する間仕切り壁の何れの場合も含まれる。また、壁パネル２１の巾は、標準長さであるモジュール寸法、例えば９００ｍｍの大きさで形成され、所定枚数を連続させることにより壁２を構築する。
【００１４】
前記換気壁パネル２２は、図５に示すように、パネル枠体２３と、このパネル枠体２３の両側に添設されるパネル面材２４とを具える。前記パネル枠体２３は、左右両側に配される縦枠材２５、２５、及びこの縦枠材２５、２５の上下端部間を繋ぐ横枠材２６とからなる矩形状の外周枠２７と、前記縦枠材２５、２５の間、かつ一方の縦枠材２５Ａに寄りに配されて縦にのびる仕切り縦枠材２８とからなる。そして、前記一方の縦枠材２５Ａと仕切り縦枠材２８との間には、略中間の高さに水平な上、下の継ぎ横枠材２９Ｕ、２９Ｄが架け渡されている。また前記下の横枠材２６Ｄには、長矩形状の下枠開口３０が複数穿設され、また前記仕切り縦枠材２８には、上の継ぎ横枠材２９Ｕよりも上位に複数の中枠開口３１が穿設される。
【００１５】
前記縦枠材２５及び仕切り縦枠材２８は、同一断面の軽量溝形鋼を用いて形成され、更に縦枠材２５には、その外側に補強用の木製桟３２を添設して補強されている。また横枠材２６及び継ぎ横枠材２９Ｕ、２９Ｄは、前記と同じ断面で内側を向く軽量溝形鋼が用いられる。
【００１６】
前記パネル面材２４は、前記外周枠２７と略同大の矩形状をなし、パネル枠体２３に打ち込まれるビス、釘などの固着具及び接着併用により、パネル枠体２３の両側に固着されて、パネル枠体２３と共に所謂フラッシュパネルを形成している。但し表側に配されるパネル面材２４は、前記一方の縦枠材２５Ａと仕切り縦枠材２８との間は、上下端部を残し切欠している。更に、中央部においては、両側のパネル面材２４、２４の間にハット溝形状のスペーサー３４が介装され、これによりパネル厚さ方向の力が安定的に支持されて、パネル面材２４の反り、割れの発生を防止している。
【００１７】
前記両側のパネル面材２４は、図５に示すように、各々内側から鋼板３５、断熱材３６、及び表面材３７が重なった積層体３８を用いて構成されている。鋼板３５は、０．５〜１．２ｍｍ程度の厚さのものが用いられる。断熱材３６は、発泡ポリスチレン、硬質ウレタン、ポリエチレン、フェノールなどの発泡樹脂断熱材が好適に使用され、この他にも、グラスウール、ロックウールなどの無機繊維断熱材、セルロースファイバー、インシュレーションボードなどの木質繊維断熱材、或いはこれら断熱材にアルミ箔を貼着した積層断熱材が用いられる。また表面材３７は、無石綿セメント板、ケイ酸カルシウム板、フレキシブルボードなどの窯業系、発泡樹脂層を鋼板、アルミ板等でサンドイッチした金属系、合板、木毛セメント板、木片セメント板に防水被覆した木質系の各種サイディングボード等が用いられる。
【００１８】
本形態では、パネル面材２４として断熱材３６を含んだ三層の積層体３８を用いるため、床下空気と屋内との間に温度差があっても、結露を生じることがなく、錆、カビ、シミ、腐れなどの材料劣化を抑制して耐久性能を向上できる。更に換気壁パネル２２を外壁面に配置する場合にも、充分な断熱性が得られるため、建物全体の断熱性能を損ねることがない。
【００１９】
このように構成された換気壁パネル２２の内部には、両側のパネル面材２４、２４に挟まれるとともに、前記一方の縦枠材２５Ａに対峙する他方の縦枠材２５Ｂと、仕切り縦枠材２８と、上下の横枠材２６とで囲まれて、上下にのびる扁平な壁内通気路３が形成される。更に前記一方の縦枠材２５Ａと、仕切り縦枠材２８とで挟まれた縦長の送気チャンバ３９が形成され、しかもこの送気チャンバ３９は、前記上、下の継ぎ横枠材２９Ｕ、２９Ｄよって区切られ、換気用の送気チャンバ３９Ｋと、循環用の送気チャンバ３９Ｊとに分離される。そして、換気用の送気チャンバ３９Ｋ、循環用の送気チャンバ３９Ｊの間に、上、下の継ぎ横枠材２９Ｕ、２９Ｄに挟まれた制御スペース４０が形成される。
【００２０】
また換気壁パネル２２は図１に示すように、前記壁パネル２１の間に隙間なく取り付けられて壁２の一部を形成する。そして、前記下の横枠材２６Ｄに設けられた下枠開口３０は、床下空間に臨む吸気口４１を形成し、この吸気口４１を介して前記壁内通気路３が床下に連通する。
【００２１】
前記クロスフローファン５は、図６に示すように、垂直な回転芯を中心とする円筒状の送風ファン４を有する。本形態のクロスフローファン５は、縦向きに配された電動器４２と、この電動器４２から上下にのびる回転軸４３の上下端部に各々取り付けられた一対の送風ファン４、４と、電動器４２及び送風ファン４を覆うファンシェルター４４とを含み構成されたものを例示している。
【００２２】
前記電動器４２は、速度調節機能を備えたＤＣモータ、ブラシレスモータ、ＡＣモータなどが採用され、特に本形態では、垂直に配された回転軸４３の両端が上下に突出した構造のものが使用される。
【００２３】
前記送風ファン４は、回転芯を中心とした同一半径上に等間隔で並ぶ多数の傾斜羽根４５を有して直立円筒状をなし、前記回転芯と同軸上に揃う回転軸４３の先端に固着されることにより、電動器４２に駆動されて回転芯周りに回転する。本形態では、前記の如く、一対の送風ファン４、４が、前記電動器４２を挟んで上下に並ぶとともに電動器４２の駆動により同時に回転する。
【００２４】
前記ファンシェルター４４は、電動器４２を覆うモータカバー４６と、送風ファン４の外端部を回転可能に支持する軸受け部４７と、前記モータカバー４６及び軸受け部４７間を継ぐとともに送風ファン４の側面の一部を覆う湾曲片状の誘導片４８とを含み構成される。
【００２５】
前記クロスフローファン５は、図１、２に示すように、一対が前記壁内通気路３の側方で上下に並んで同芯に配置される。図７に示すように、上のクロスフローファン５は、前記換気用の送気チャンバ３９Ｋに収容されて、換気用のクロスフローファン５Ｋを構成する。そしてこの換気用のクロスフローファン５Ｋは、前記軸受け部４７の取付け片４９をパネル枠体２３に固着することにより換気壁パネル２２に取り付けられる。他方図８に示すように、下のクロスフローファン５は、前記循環用の送気チャンバ３９Ｊに収容されて、循環用のクロスフローファン５Ｊを構成し、前記換気用のクロスフローファン５Ｋと同様にして、換気壁パネル２２に取り付けられる。
【００２６】
前記換気用のベースグリル板７Ｋは、図３、７に示すように、縦長矩形状をなす基板５０の両側縁に後側へ小長さで折れ曲がるリブ５１を設けて構成される。そして前記基板５０には、その表側の左寄りに縦長窓状の換気口６が、右寄りに縦長のスリット５２が各々設けられる。この換気用のベースグリル板７Ｋは、その上下端部を、換気用のクロスフローファン５Ｋの取付け片４９、モータカバー４６に、各々ビスを用いて固着され、換気用のクロスフローファン５Ｋの前面を覆っている。
【００２７】
しかして、電動器４２により駆動されて送風ファン４が回転すると、床下の空気が吸気口４１から壁内通気路３内に吸引されて換気壁パネル２２内を上方へ移動する。更に壁内通気路３内の空気は、送風ファン４により、前記仕切り縦枠材２８の中枠開口３１により形成される通気口１０を通って換気用の送気チャンバ３９Ｋ内へ引き込まれるとともに、誘導片４８にガイドされて前記換気用のベースグリル板７Ｋの換気口６通って屋内空間１１へ吹き出される。壁２内部を縦にのびて扁平な壁内通気路３は、通風抵抗が小さいため、薄型の換気用のクロスフローファン５Ｋによって充分な換気量が得られるとともに、風音も小さく形成できる。
【００２８】
前記循環用のベースグリル板７Ｊは、図４、８に示すように、換気用のベースグリル板７Ｋと同様に形成された縦長矩形状の基板５４に、その表側の左寄りに縦長窓状の還流口９が、右寄りに還流口９よりも広幅に形成された吸込み口８が各々設けられる。そして、前記換気用のベースグリル板７Ｋと同様にビスを用いて、循環用のクロスフローファン５Ｊの前面を覆う位置に取り付けられる。
【００２９】
しかして、電動器４２により駆動されて送風ファン４が回転すると、前記吸込み口８から屋内空間１１の空気が吸引されるとともに、誘導片４８にガイドされて還流口９から屋内空間１１へ吹き出される。即ち循環用のクロスフローファン５Ｊが屋内空間１１の空気をサーキュレーションするため、特に空調時には室内温度の上下格差を縮小できるとともに、室内空気に適度な流れを生じて快適性が向上する。
【００３０】
このように、壁内通気路３、換気用のクロスフローファン５Ｋ、及び循環用のクロスフローファン５Ｊによって、例えば９０〜１２０ｍｍ程度の限られた壁厚の範囲内に、床下空気を利用した換気機能及び屋内空間の空気循環機能を構築でき、その結果壁２からの突出が極力抑制されてデザイン性を向上でき、かつ空気設備が屋内空間に出張ることがないため平面プランの自由性が確保される。しかも換気用のベースグリル板７Ｋ、循環用のベースグリル板７Ｊは、上下に並んで配置されるため、統一した外観を有しつつ換気機能、及び空気循環機能をコンパクトに構成することができる。
【００３１】
また、電動器４２の上下に一対の縦長円筒形状の送風ファン４を設けたクロスフローファン５は、薄型であっても充分な送風量が得られ、前記壁内通気路３を通して必要量の換気と、充分な空気循環を得ることができる。しかも送風効率が高いため、省エネが図れるとともに運転音も静寂に維持されるため、寝室、書斎、リスニングルームなどにおいても快適に使用できる。
【００３２】
前記換気用のベースグリル板７Ｋには、図３、７に示すように、スリット５２を通して除塵エアフィルター１２Ｋが壁２の厚さ方向に出し入れ可能の挿入されている。そして、前記スリット５２内に挿入された除塵エアフィルター１２Ｋは、前記通気口１０に沿って配されるため、壁内通気路３から換気用の送気チャンバ３９Ｋへ吸引される床下空気は、除塵エアフィルター１２Ｋを透過する際に浮遊物が除去され、その結果清潔な空気が屋内空間１１へ供給される。また除塵エアフィルター１２Ｋにより換気用のクロスフローファン５Ｋの汚れを抑制できるため、メンテナンスが容易となる。この除塵エアフィルター１２Ｋは、２〜３ケ月に１回程度、付着したホコリを掃除機などで吸い取ってメンテナンスすることが望ましい。
【００３３】
また循環用のベースグリル板７Ｊには、図４、８に示すように、吸込み口８の外側に沿って、循環エアフィルター１２Ｊが取り付けられる。この循環エアフィルター１２Ｊは、フィルター押さえ材５５により着脱自在に固定される。そして空気中の１０μ以上の花粉、砂ボコリなどを効率よく除去でき、健康で快適な屋内空気環境を維持することができるとともに、循環用のクロスフローファン５Ｊの汚れを抑制できる。なおこの循環エアフィルター１２Ｊは、約１ケ月に１回程度掃除機を用いてホコリを吸い取るなどメンテナンスすることが望ましい。
【００３４】
図７、８に示すように、前記換気用のベースグリル板７Ｋ、及び循環用のベースグリル板７Ｊは、同じ化粧グリル部材１３を用いて覆われている。前記化粧グリル部材１３は、縦長矩形状のグリル枠体５６と、このグリル枠体５６の内側に上下に並んで形成されたガラリ５７と、グリル枠体５６の上下部に各々着脱可能に係合してビス固定部を覆うキャップ部材５８とからなる。図１に示すように、換気用のベースグリル板７Ｋ、及び循環用のベースグリル板７Ｊが、同じ化粧グリル部材１３を用いて覆われるため、壁２に上下にのびる統一された意匠が形成されて、デザイン性が向上する。その上使用部材の種類を減少できるため、施工性が向上するとともにメンテナンスも容易となる。
【００３５】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３６】
【図１】本発明の一実施の形態を例示する斜視図である。
【図２】その分解斜視図である。
【図３】そのＡ−Ａ断面図である。
【図４】そのＢ−Ｂ断面図である。
【図５】換気壁パネルの斜視図である。
【図６】クロスフローファンの要部拡大斜視図である。
【図７】換気用のクロスフローファンの取付状態を説明する分解斜視図である。
【図８】循環用のクロスフローファンの取付状態を説明する分解斜視図である。
【符号の説明】
【００３７】
１      換気構造
２      壁
３      壁内通気路
４      送風ファン
５      クロスフローファン
５Ｋ    換気用のクロスフローファン
５Ｊ    循環用クロスフローファン
６      換気口
７Ｋ    換気用のベースグリル板
７Ｊ    循環用のベースグリル板
８      吸込み口
９      還流口
１０      通気口
１１      屋内空間
１２Ｋ    除塵エアフィルター
１２Ｊ    循環エアフィルター
１３      化粧グリル部材
【図１】
2007139233.tif 000003
【図２】
2007139233.tif 000004
【図３】
2007139233.tif 000005
【図４】
2007139233.tif 000006
【図５】
2007139233.tif 000007
【図６】
2007139233.tif 000008
【図７】
2007139233.tif 000009
【図８】
2007139233.tif 000010